【事件の表示】
　平成１０年特許願第２４９６４２号「枚葉輪転印刷機の残紙検出装置」拒絶査定不服審判事件〔平成１１年　６月　８日出願公開、特開平１１−１５１８０４〕について、次のとおり審決する。
【結　論】
　本件審判の請求は、成り立たない。
【理　由】
１　手続の経緯　
　本願は、平成１０年９月３日（優先権主張平成９年９月２２日）の出願であって、平成１９年２月２８日に手続補正がなされ、同年３月２６日付けで拒絶査定がなされ、これに対して、同年５月７日に拒絶査定不服審判が請求されるとともに、同日に手続補正がなされ、当審において、平成１９年５月７日付け手続補正が平成２１年１２月１４日付けで却下されるとともに、同日付けで拒絶の理由（以下「当審拒絶理由」という。）が通知され、平成２２年２月１５日に手続補正がなされたものである。
　
２　本願発明
　本願の請求項１及び２に係る発明は、平成２２年２月１５日付け手続補正によって補正された本願の明細書及び図面の記載からみて、その特許請求の範囲の請求項１及び２に記載された事項によりそれぞれ特定されるものであるところ、請求項１に係る発明（以下「本願発明」という。）は次のとおりのものである。
　
「印刷動作を行う印刷機と、この印刷機に印刷用の紙を給紙する給紙装置と、この給紙装置から給紙された紙を前記印刷機に搬送する搬送路とを備えた枚葉輪転印刷機の残紙検出装置であって、
　前記印刷機を印刷動作モードに設定するスイッチ手段と、
　前記搬送路上の残紙を検出する残紙検出手段と、
　前記残紙検出手段によって残紙が検出されている場合には前記スイッチ手段による印刷動作モードの設定を阻止し、前記残紙検出手段によって残紙が検出されていない場合には、前記残紙検出手段による残紙の検出をオフ状態とすると共に、前記スイッチ手段による印刷動作モードの設定を許可し、前記給紙装置による給紙動作の停止に応じて前記残紙検出手段による残紙の検出をオン状態にする制御手段と、
　前記残紙検出手段によって残紙が検出されたときに残紙有りを報知する報知手段と
　を備えたことを特徴とする枚葉輪転印刷機の残紙検出装置。」
　
３　刊行物の記載事項　
（１）当審拒絶理由で引用した「本願の優先日前に頒布された刊行物である特開昭４８−８２９１６号公報（以下「引用例１」という。）」には、図とともに次の事項が記載されている。（下線は当審で付した。以下同じ。また、「」は『』に変えて摘記した。）
　ア　「２．特許請求の範囲
　供給すべき紙の前縁部に並行して複数個の給紙探知用の探知灯と、前記供給すべき紙が正常な位置にない場合に印刷機を停止させる制御手段と、供給すべき紙が正常な位置にあるべき探知時点において紙がない場合前記探知灯から発せられる信号を前記印刷機の作動中遮断したままに維持するレジスタ手段とを含んで構成されることを特徴とする給紙印刷機の自動制御装置。」（１頁左下欄４〜１２行）
　
　イ　「
本発明の給紙印刷機、とくに紙を重なり合わせて供給する印刷機の自動制御装置
　この種の印刷機の操作原理は第１図に示す。第１図において
堆積された紙１００から、給紙システム１０１（これはローラ１０２，１０３，１０４等とコンベアベルト１０５から成り立つている）をへて試し刷りされる
紙は重なり合つた状態で印刷機に到達する。即ち紙の前方部分がすでに試し刷りされた紙の、後方部分の下になる
高速回転の印刷機
紙の印刷は一段とスピードアップされ
　
　ウ　「第１図に図解されている
印刷機は、互いに上下に重なり合つているローラー１０６，１０７，１０８から構成されている
印刷機に給紙する前に、全紙を正確に整列させる
ための監視が必要である
ローラー１０６は、その頭部に数個の、互いに離れて配置されたインクローラーを装備
ローラー１０７は、ゴムでおおわれたインク移送ローラー
印刷システムと並列して、
『紙つかみ機』
がある
印刷ローラーの回転や給紙に、合致する様に調整され
装置１０９に紙が正しく到着し、紙が離され、さらに移送され、また機械の同期リズムと合致した時に、紙はつかまれて、印刷ローラーに送りこまれる
　
　エ　「本発明は特にドイツ特許出願Ｐ２１４４６４９、１−２７に記載されている方法と関連して使用されるのに適している。装置１０９の部分に紙を探知する探知灯がある。これは、上述のドイツ特許出願にも記載されているいわゆる反射探知灯からなりたつている。
　本発明を詳細に述べる前に、まず始めに第１図に配列されているシステムの作動状態についてのべる必要がある。
印刷機械の作動
給紙システムの作動
『機械始動』
『機械停止』
まだ実施の印刷作業が行なわれることを意味しない
印刷作業を行なうためには『印刷開始』ないし『印刷停止』の
特別の命令が必要
印刷ローラー１０７と反転印刷ローラー１０８の作業
『機械始動』の場合
印刷ローラー１０７と１０８はまだ互いに接触して作動はしていない
印刷全紙がローラー１０７と１０８の間へ、紙つかみ機によつて送りこまれたことが確認された時、始めて『印刷開始』の命令
　
　オ　「『印刷開始』の命令の時間的な調整は、極めて困難な問題である。何故なら『機械始動』の命令が出された場合、
まず始めに堆積された紙１００から紙がつかみとられるが、その紙が正しい位置におかれるまでには一定の時間が必要で
紙の到着が早いか遅いか
斜めに進む状態も
探知灯によつて確認しなければならない
『印刷開始』の自動的な命令が、正しい時点で行なわれる様に調整する
探知灯１１０
は、印刷機が継続的に作動している場合、１０９の箇所で一定の時点で全紙の正確な位置をコントロールし、印刷準備完了を示すべきである、つまり、紙がない場合は誤謬信号を表示しなければならない。機械がスイッチオンの場合、もし紙がなくなつた時、探知灯が機械をふたたび停止させねばならない
　
　カ　「上述した課題は、次の様に解決される。即ち、
紙差し装置
に並列に紙を探知する探知灯１１０を２つ装備し、３つの探知時点（Ａ，Ｂ，Ｃ）によつて時間制御する。その際、時点ＡとＣ（紙の進行が早いか或るいは遅い場合に該当）で探知灯１１０にとつて紙が認識された場合、連結スイツチをへて『機械停止』命令が出される
レジスタ手段が装備されている
　
　キ　「この発明の決定的な特徴は、次の点にある。すなわち探知灯は通常、紙を認識した場合、『ＯＫ』の命令を出す様に電子制御されているものであるが、本発明による探知灯は、機械が作動している場合、紙を認識しなくてもこの探知灯によつて
機械の作動をとめずに
探知灯が紙を認識するまで機械を作動させつづける
　
　ク　「本発明にかかる装置の本質的な構成要素、即ち蓄電池装置は、この瞬間に刺激を受け、探知灯に対してその通常の使命を果たす様にしむけるのである。しかし探知灯は、印刷制御命令をださなければならないので、
紙の速度が早いか遅いかを認識し、この場合『機械停止』命令をださなければならない
のみ
紙が早く到達する場合
装置１０９がまだ下へ反転している時点ですでに紙が移送されることになる
紙はそれをのりこえて印刷機に入つてしまい、大変な損害が生じることとなる
正常位置に戻つた装置１０９
次の機械循環周期の場合には早く到着する紙の場合と同様の運命をたどる
失敗状態
　
　ケ　「以下本発明にかかる装置の構造と作動方法について図面により詳細に説明する。
　すでに第１図に示した印刷システムが作動すると、すでに冒頭でのべた通り、重なり合つた状態で紙が
紙差し装置１０９
紙つかみ機
紙差し装置１０９
　第２図（ａ）〜（ｅ）には探知灯１１０の探知円が示されている。これは探知灯１１０と
紙差し装置
この際探知灯１１０は紙を探知できないので、機械をとめなければならない
『印刷開始』の命令をだしてはいけない
　この場合次の周期では紙が早く到着しすぎて第２図（ｃ）で示す様な状態になる。
第２図（ｃ）の場合は紙が早く到着しすぎる
いづれにしても『機械停止』命令がだされなければならない
　
　コ　「これらすべての例を考慮して第３ａ図および第３ｂ図で図解されている
時間制御装置
　
　サ　「紙の到着速度（早、遅、良）を実際に計測する方法は次の通りである。すなわち第４図に示すごとき３つの異なる時点Ａ，Ｂ，Ｃの時点、すなわちカム軸１１２，１１３の前方部ないし後方部の角が開閉器１１７，１１８の中へ入る時に生じる時点において探知灯が計測する。
　この場合正しい誤定計測時点はカム軸１１３（審決注：「１１２」は「１１３」の誤記であることが明らかなので訂正して摘記した。）の角Ｂないし第４図の時点Ｂによつて決定される。その際、時点Ｂは円盤１１４，１１５を相対的に動かすことによつて、時点Ａ，Ｃによつてあらじめ定められた範囲内で任意に設定することができる。それ故探知灯は、
時点Ａで早到着の紙
先立つ時点Ａですでに紙を認識している
印刷が行なわれている場合の出来事
　
　シ　「
時点Ｂで探知灯は新たに測定する。その時点では２つの探知灯が紙を認識する必要がある。それによつて作動状態が継続され、『印刷開始』命令がだされ
時点Ｂで探知灯のどちらも紙を認識しない時でも、作動初期の場合は、即ち機械を始動させる場合は、『停止』命令をだしてはいけない
　
　ス　「さらに後の時点Ｃでは、探知灯がもう一回測定する。これによつて正しい時点Ｂのあとに、紙があるかどうかを確認することができる。時点Ｃの場合、探知灯システムが紙を認めた時は、『停止』命令がだされなければならない。この際時点Ａ及びＣでの測定は、最初の紙が正しく到着し『印刷開始』命令がだされるまでつづけられる。」（４頁左上欄１７行〜同頁右上欄３行）
　
　セ　「Ａ及びＣの機能は、すなわちこの時点での探知行為は、中断され、『印刷開始』が行なわれるとき、ふたたび活動するのである。何故なら紙を補充しなければならないし、また時点Ｂで探知された刷りそこないのために新たに印刷を始めなければならないからである。印刷機の始動期に間違いがあつた場合は、Ａ，Ｂ，Ｃによつて停止され得る。そして検査Ｂのプラスの出力の場合には『印刷開始』命令がだされる。この時、紙は正しい時点で装置１０９に到着しているからである。もちろん装置１０９は紙つかみ機や一行程のリズムと合致して動いており、紙を正しい時点で移送しているのである。」（４頁右上欄４〜１６行）
　
　ソ　上記アないしセから、引用例１には、
「堆積された紙を、ローラとコンベアベルトから成り立っている給紙システムを経て、インクローラーを装備している第１ローラー、ゴムでおおわれたインク移送ローラーである印刷ローラー及び反転印刷ローラーから構成されている印刷機に移送して試し刷りをすることができる印刷システムであって、
　紙の前方部分がすでに試し刷りされた紙の後方部分の下になるように、紙が重なり合つた状態で印刷機に到達するようになして、紙への印刷を一段とスピードアップした高速回転の印刷をできるようになっており、
　前記印刷機に給紙する前に、全紙を正確に整列させるための監視を必要とし、印刷ローラーの回転や給紙に合致する様に調整されている紙つかみ機を並列に備え、
　紙差し装置を備え、
　前記紙差し装置に並列に紙を探知する探知灯を２つ装備し、
　紙が、前記紙差し装置に正しく到着し、機械の同期リズムと合致した時に、前記紙つかみ機につかまれて、前記印刷ローラーに送り込まれて印刷が行なわれるようになっており、
　機械始動しても、前記印刷ローラーと前記反転印刷ローラーはまだ互いに接触して作動はしていないからまだ印刷作業が行われず、印刷作業を行なうためには前記印刷ローラーと前記反転印刷ローラーの作業を意味する印刷開始の命令が必要であり、印刷全紙が前記印刷ローラーと前記反転印刷ローラーの間へ、紙つかみ機によつて送りこまれたことが確認された時、始めて前記印刷開始の命令が行なわれ、
　前記機械始動の命令が出された場合、まず始めに堆積された紙から紙がつかみとられるが、その紙が正しい位置におかれるまでには一定の時間が必要であり、
　紙の到着が早いか遅いか斜めに進む状態かの状態は、それを探知する前記探知灯によつて確認され、
　印刷機が継続的に作動している場合、前記探知灯は、３つの探知時点Ａ，Ｂ，Ｃによつて時間制御し、その際、紙の進行が早い場合に該当する時点Ａと紙の進行が遅い場合に該当する時点Ｃで紙が認識された場合、連結スイツチを経て機械停止命令が出されるようにされ、印刷機が継続的に作動している場合、紙がない場合は誤謬信号を表示し、機械がスイッチオンの場合、もし紙がなくなつた時、機械をふたたび停止させ、探知時点Ｂでは２つの前記探知灯が紙を認識することよつて作動状態が継続され、印刷開始命令がだされ、前記紙差し装置の箇所で一定の時点で全紙の正確な位置をコントロールし、印刷準備完了を示すものである印刷システムにおいて、
　機械始動の命令が出された場合、紙が正しい位置におかれるまでには前記一定の時間が必要であることから、機械を始動させ印刷開始命令がだされる前の作動初期の場合は、探知時点Ｂで前記探知灯のどちらも紙を認識しない時でも、機械の作動を止めずに、前記探知灯が紙を認識するまで機械を作動させ続けるようにするレジスタ手段が装備されている印刷システム。」の発明（以下「引用発明１」という。）が記載されているものと認められる。
　
（２）当審拒絶理由で引用した「本願の優先日前に頒布された刊行物である特開平２−１４４３５２号公報（以下「引用例２」という。）」には、図とともに次の事項が記載されている。
　ア　「（１）用紙の搬送路に沿って用紙を検出するセンサが配設され、トレイから送り出された用紙をセンサで監視しながら搬送して画像を記録する記録装置において、
　前記センサによる検出を前記記録装置の記録開始に先立って行うように制御する第１の制御手段と、
　前記センサからの用紙検出信号の入力によって記録装置の作動を停止すると共に、所定の表示を行う第２の制御手段を備えたことを特徴とする記録装置の用紙搬送装置。
（２）前記第１の制御手段は、記録開始前の検出が所定時間内に終了するように前記センサを制御する請求項第１項記載の記録装置の用紙搬送装置。」（１頁左下欄５行〜同頁右下欄２行）
　
　イ　「〔産業上の利用分野〕
　本発明はコピー用紙を搬送しながら記録する複写機などの記録装置において、用紙の搬送状態をセンサで監視することによって用紙のジャム（ＪＡＭ）を検出することが可能な用紙搬送装置に関する。」（１頁右上欄８〜１３行）
　
　ウ　「〔発明が解決しようとする課題〕
　しかし、従来の複写機では、スタートボタンを押した時点からセンサによる用紙の監視を行い、所定のコピー操作が終了すると監視も終了するようになっており、記録開始前および記録終了後における監視を行うシステムとはなっていない、このため、
前回のコピーの際の用紙が搬送路に残っていても、これを検出することができず、次のコピー操作の支障となっている。例えば、次のコピー操作でスタートボタンを押すことによって始めてセンサによる監視が行われるため、次のコピー操作の記録開始直前にスタティックジャム（ＳＴＡＴＩＣ　ＪＡＭ）状態となり、マシンダウンとなる。また、次のコピー操作で搬送路に供給された新たな用紙が残留用紙と幾分のずれを生じながら重送されることもあり、この重送によって画像が２枚の用紙に跨がって記録される不都合もある
　そこで、本発明の目的は、コピー時以外にも搬送路の監視を行って搬送路に残留している用紙があっても、これをコピー以前に検出することが可能な記録装置の用紙搬送装置を提供することにある。」（２頁左上欄１１行〜同頁右上欄１２行）
　
　エ　「本発明では特に、記録開始以前における用紙検出の場合にもマシンダウンを行うものであり、これにより搬送路上の用紙の撤去を記録開始以前に行うことができる。また、ごの第２の制御手段はマシンダウンと共に、ジャムの表示を行い、オペレータへの伝達が可能となる。表示は、ディスプレィであっても良く、音声、ブザーであっても良く、これらを合わせて行っても良い。」（２頁右下欄５〜１２行）
　
　オ　「〔作用〕
　記録のためのスタートボタンが押されると、第１の制御手段はセンサを駆動して搬送路の点検を行う。このセンサ駆動は所定時間（例えば、１０ｍｓ）で終了するように制御される。点検によって用紙が検出されない場合は、そのまま記録動作に進むが、用紙が検出された場合にはスタティックジャムとして第２の制御手段によって記録装置の停止およびジャム表示が行われる。これによりオペレータによる用紙の撤去が可能となる。」（２頁右下欄１３行〜３頁左上欄２行）
　
４　対比
　本願発明と引用発明１とを対比する。
（１）引用発明１の「インクローラーを装備している第１ローラー、ゴムでおおわれたインク移送ローラーである印刷ローラー及び反転印刷ローラーから構成されている印刷機」は、紙が、紙つかみ機につかまれて、印刷ローラーに送り込まれて印刷が行なわれるものであるから、本願発明の「枚葉輪転印刷機」に相当する。
（２）引用発明１の「『紙』が『印刷ローラーに送り込まれて印刷が行なわれる』ようになっている『インクローラーを装備している第１ローラー、ゴムでおおわれたインク移送ローラーである印刷ローラー及び反転印刷ローラーから構成されている印刷機』」、「『堆積された紙』を、『給紙システム』を経て、『印刷機に移送』するもの」及び「ローラとコンベアベルトから成り立っている給紙システム」は、それぞれ、本願発明の「印刷動作を行う印刷機」、「この印刷機に印刷用の紙を給紙する給紙装置」及び「この給紙装置から給紙された紙を前記印刷機に搬送する搬送路」に相当する。
（３）引用発明１の「機械始動」は本願発明の「印刷機を印刷動作モード」に相当し、引用発明１が「機械始動の命令」を出すスイッチ手段を備えていることは明らかであるから、引用発明１の「機械始動の命令を出すスイッチ手段」は、本願発明の「印刷機を印刷動作モードに設定するスイッチ手段」に相当するといえる。
（４）上記（１）ないし（３）からみて、本願発明と引用発明１とは、
「印刷動作を行う印刷機と、この印刷機に印刷用の紙を給紙する給紙装置と、この給紙装置から給紙された紙を前記印刷機に搬送する搬送路とを備えた枚葉輪転印刷機であって、
　前記印刷機を印刷動作モードに設定するスイッチ手段と
　を備えた枚葉輪転印刷機。」の点で一致し、
「本願発明では、前記枚葉輪転印刷機が『残紙検出装置』を有し、該残紙検出装置が、『前記搬送路上の残紙を検出する残紙検出手段』と、『前記残紙検出手段によって残紙が検出されている場合には前記スイッチ手段による印刷動作モードの設定を阻止し、前記残紙検出手段によって残紙が検出されていない場合には、前記残紙検出手段による残紙の検出をオフ状態とすると共に、前記スイッチ手段による印刷動作モードの設定を許可し、前記給紙装置による給紙動作の停止に応じて前記残紙検出手段による残紙の検出をオン状態にする制御手段』と、『前記残紙検出手段によって残紙が検出されたときに残紙有りを報知する報知手段』とを備えているのに対して、引用発明１では、そのような残紙検出装置を備えていない」点（以下「相違点」という。）で相違する。
　
５　判断
　上記相違点について検討する。
（１）上記３（２）アないしオから、引用例２には、
「トレイから送り出された用紙をセンサで監視しながら搬送して画像を記録する記録装置に、
　用紙の搬送路に沿って用紙を検出するセンサを配設し、
　前記センサによる検出を前記記録装置の記録開始に先立って行い所定時間内に終了するように、前記センサを制御する第１の制御手段と、前記センサからの用紙検出信号の入力によって記録装置の作動を停止すると共に、所定の表示を行う第２の制御手段とを備え、
　記録時以外にも搬送路の監視を行って、搬送路に残留している用紙があっても、これを記録以前に検出することを可能にした記録装置の残留用紙検出装置であって、
　記録のためのスタートボタンが押されると、第１の制御手段が前記センサを１０ｍｓ程度で終了するように駆動して搬送路の点検を行い、この点検によって用紙が検出されない場合は、そのまま記録動作に進み、用紙が検出された場合にはスタティックジャムとして第２の制御手段が記録装置の停止およびジャム表示を行い、これによりオペレータによる用紙の撤去を可能とした記録装置の残留用紙検出装置。」の発明（以下「引用発明２」という。）が記載されているものと認められる。
　
（２）引用発明１は、機械始動の命令が出された場合、まず始めに堆積された紙から紙がつかみとられるが、その紙が正しい位置におかれるまでには一定の時間が必要であり、前記一定の時間が必要であることから、機械を始動させ印刷開始命令がだされる前の作動初期の場合は、探知時点Ｂで前記探知灯のどちらも紙を認識しない時でも、機械の作動を止めずに、前記探知灯が紙を認識するまで機械を作動させ続けるようにしているので、機械始動の命令が出された直ぐには、前回の印刷の際の紙が搬送路に残っていても、これを検出することができず、次の印刷の支障となり、機械始動の命令が出され前記一定の時間が経って始めて探知灯による監視が行われるため、次の印刷開始命令が行われる直前の探知時点Ａで紙が認識された場合、連結スイツチを経て機械停止命令が出され、また、次の印刷作業で搬送路に供給された新たな紙が残紙と幾分のずれを生じながら重送されることもあり、この重送によって印刷が２枚の紙に跨がって記録される等の不都合もあり得ることが、当業者に自明である。
　
（３）しかるところ、残紙を検知するための検知手段を設けることが本願の優先日前に周知であるから（例．当審拒絶理由で引用した特開昭６３−１６５２４８号公報（１頁右下欄１２〜１６行参照。）、当審拒絶理由で引用した特開平３−２５６９５５号公報（１頁右下欄５行〜２頁左下欄２行参照。）。以下「周知技術１」という。）、引用発明１の「印刷システム」のローラとコンベアベルトから成り立っている給紙システムに沿って残紙を検知するための検知手段を配設するとともに、前記印刷システムの印刷開始命令が行われるのに先立って、機械始動の命令が出されると前記検知手段による検出を行い所定時間内に終了するように前記検知手段を制御する第１の制御手段と、前記残紙を検知するための検知手段からの残紙検出信号の入力によって機械停止命令を出すと共に、所定の表示を行う第２の制御手段とを備え、印刷機が継続的に作動している場合以外にも搬送路の監視を行って搬送路に残留している紙があっても、これを印刷開始命令が行われる以前に検出することを可能にして「枚葉輪転印刷機の残紙検出装置」とし、「印刷機を印刷動作モードに設定するスイッチ手段」により機械始動の命令が出されると、第１の制御手段が前記残紙を検知するための検知手段を１０ｍｓ程度で終了するように駆動して搬送路の点検を行い、この点検によって残紙が検出されない場合は、そのまま、機械の作動を止めずに、前記探知灯が紙を認識するまで機械を作動させ続け、残紙が検出された場合には第２の制御手段が機械停止命令を出し、かつ残紙表示を行い、これによりオペレータによる残紙の撤去を可能とした枚葉輪転印刷機の残紙検出装置となすことは、当業者が、引用発明２及び周知技術１に基づいて容易に想到することができたことである。
　
（４）残紙の検知は印刷機が継続的に作動している期間は不要であること、及び、印刷機が継続的に作動している期間に残紙でない正常に搬送されている紙を検知して機械停止命令を出してはいけないことは、当業者に自明であるから、上記（３）において、ローラとコンベアベルトから成り立っている給紙システムに沿って配設した残紙を検知するための検知手段を１０ｍｓ程度で終了するように駆動して搬送路の点検を行った後に、残紙の検出をオフ状態にすることは、当業者が引用発明２に基づいて適宜なし得た程度のことである。
　また、引用発明２は、記録時以外にも搬送路の監視を行って、搬送路に残留している用紙があっても、これを記録以前に検出することを可能にするものであるから、上記（３）においても、同様に、印刷機が継続的に作動している期間以外にも給紙システムの監視を行って、給紙システムに残紙があっても、これを印刷機が作動する以前にローラとコンベアベルトから成り立っている給紙システムに沿って配設した残紙を検知するための検知手段により検出することを可能にするため、印刷機の作動が終了し給紙システムが停止したことに応じて、ローラとコンベアベルトから成り立っている給紙システムに沿って配設した残紙を検知するための検知手段による残紙の検出をオン状態にすることは、当業者が引用発明２及び周知技術１に基づいて適宜なし得た程度のことである（残紙の検出を給紙の終了時に行うことは、特開平９−２０２４７２号公報の【００２０】に「給紙動作が終了する（Ｓ９）。こうして給紙が終了したら、手差し給紙台３上に用紙が残っているか否かを用紙検知センサ９の出力信号に基づいて判断し（Ｓ１０）」との記載からみても、当業者が適宜行っている事項であるといえる。）。
　
（５）また、上記（３）における「残紙が検出された場合には第２の制御手段が機械停止命令を出し、かつ残紙表示を行い」の「残紙が検出された場合に第２の制御手段が残紙表示を行」う事項は、本願発明の「前記残紙検出手段によって残紙が検出されたときに残紙有りを報知する報知手段」に相当するから、上記（３）及び（４）からみて、引用発明１において、上記相違点に係る本願発明の構成となすことは、当業者が、引用発明２及び周知技術１に基づいて容易になし得た程度のことである。
　
（６）本願発明の奏する効果は、引用発明２の奏する効果及び周知技術１の奏する効果から、当業者が予測することができた程度のものである。
　
（７）まとめ
　したがって、本願発明は、当業者が、引用例１に記載された発明、引用例２に記載された発明及び周知技術１に基づいて容易に発明をすることができたものである。
　
６　むすび
　以上のとおり、本願発明は、当業者が、引用例１に記載された発明、引用例２に記載された発明及び周知技術１に基づいて容易に発明をすることができたものであるから、特許法第２９条第２項の規定により特許を受けることができない。
　よって、結論のとおり審決する。